【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
固有の秘密セキュリティ機能および／または法科学的セキュリティ機能を有するセキュリティ顔料であって、透明な無機マトリックスと、該マトリックス中に埋め込まれており、該マトリックスとは異なるものであって、電磁放射線に曝露すると可視光を選択的または非選択的に吸収、反射および／または放射する少なくとも１つの粒子材料とからなるセキュリティ顔料。
【請求項２】
本質的にフレーク形状を有することを特徴とする、請求項１に記載のセキュリティ顔料。
【請求項３】
フレークの最大表面が、平面図において不規則な形状を有することを特徴とする、請求項２に記載のセキュリティ顔料。
【請求項４】
１から２５０μｍの長さおよび幅の寸法と０．０５から１２μｍの厚さとを有することを特徴とする、請求項１〜３のいずれか一項に記載のセキュリティ顔料。
【請求項５】
前記粒子材料が、球形または三次元的に規則的もしくは不規則的な形状の材料であり、０．０１から１２μｍの粒径を有することを特徴とする、請求項１〜４のいずれか一項に記載のセキュリティ顔料。
【請求項６】
前記マトリックスが屈折率ｎ１を有し、前記粒子材料が屈折率ｎ２を有し、ここで、ｎ１は、ｎ２とは異なり、ｎ１とｎ２の間の差Δｎが少なくとも０．２であることを特徴とする、請求項１〜５のいずれか一項に記載のセキュリティ顔料。
【請求項７】
前記マトリックスが、屈折率ｎ１＜１．８を有し、二酸化ケイ素、酸化ケイ素水和物、酸化アルミニウム、酸化アルミニウム水和物、酸化マグネシウムまたはこれら化合物の２つ以上の混合物からなることを特徴とする、請求項１〜６のいずれか一項に記載のセキュリティ顔料。
【請求項８】
前記マトリックスが、屈折率ｎ１≧１．８を有し、二酸化チタンおよび／または二酸化チタン水和物からなることを特徴とする、請求項１〜６のいずれか一項に記載のセキュリティ顔料。
【請求項９】
前記粒子材料が、少なくとも１つの無機白色、黒色または有色顔料、無機ＵＶ色素、無機ＩＲアップコンバーティング色素、カプセル化有機染料、カプセル化ＵＶまたはＩＲアップコンバーティング材料またはこれらの２つ以上の混合物であることを特徴とする、請求項１〜８のいずれか一項に記載のセキュリティ顔料。
【請求項１０】
前記粒子材料が、二酸化チタン、硫酸バリウム、酸化亜鉛、ピグメントブラック、酸化鉄（ヘマタイト、マグネタイト）、酸化クロム、テナールブルー（ＣｏＡｌ２Ｏ４）、リンマングリーン（ＺｎＣｏ２Ｏ４）、コバルト−クロム−アルミン酸塩スピネル（（Ｃｏ，Ｃｒ）Ａｌ２Ｏ４）またはそれらの２つ以上の混合物であることを特徴とする、請求項１〜９のいずれか一項に記載のセキュリティ顔料。
【請求項１１】
前記粒子材料が、ドープした金属酸化物、ドープした金属硫化物、蛍光を発することができるランタニドの金属オキシ硫化物もしくは混合酸化物またはそれらの２つ以上の混合物であり、該粒子材料が紫外線による励起に基づいて可視光を放射することを特徴とする、請求項１〜９のいずれか一項に記載のセキュリティ顔料。
【請求項１２】
前記粒子材料が、少なくとも１つの遷移金属イオン、ランタニドイオンおよび／またはアクチニドイオンによりドープされている元素Ｌｉ、Ｎａ、Ｋ、Ｍｇ、Ｇｅ、Ｇａ、Ａｌ、Ｐｂ、Ｃｄ、Ｂａ、Ｍｎ、Ｎｂ、Ｔａ、Ｃｓ、Ｙ、Ｎｄ、Ｇｄ、Ｌｕ、Ｒｂ、Ｓｃ、Ｂｉ、ＺｒおよびＷの酸化物、ハロゲン化物、カルコゲニド、オキシハロゲン化物、オキシ硫化物、フルオロヒ酸塩またはフルオロインジウム酸塩、あるいはそれらの２以上の混合物であり、該粒子材料が、赤外線による励起に基づいて可視光を放つことを特徴とする、請求項１〜１２のいずれか一項に記載のセキュリティ顔料。
【請求項１３】
前記遷移金属イオン、ランタニドイオンおよび／またはアクチニドイオンが、Ｔｉ２＋、Ｃｒ３＋、Ｎｉ２＋、Ｍｏ３＋、Ｒｅ４＋、Ｏｓ４＋、Ｐｒ３＋、Ｎｄ３＋、Ｇｄ３＋、Ｄｙ３＋、Ｈｏ３＋、Ｅｒ３＋、Ｔｍ２＋、Ｕ４＋および／またはＵ３＋であることを特徴とする、請求項１２に記載のセキュリティ顔料。
【請求項１４】
前記粒子材料が、少なくとも１つの選択的または非選択的な吸収材料と少なくとも１つの発光材料との混合物であることを特徴とする、請求項１〜1３のいずれか一項に記載のセキュリティ顔料。
【請求項１５】
前記粒子材料が、マトリックス中に、セキュリティ顔料の全重量を基準として１から８０重量％の割合で存在することを特徴とする、請求項１〜１４のいずれか一項に記載のセキュリティ顔料。
【請求項１６】
粒子材料の粒径が、可視光下で見ることができる粒子の分率、ならびに／あるいは可視光、ＵＶ光および／またはＩＲ光に曝露して見ることができる粒子材料の色と共同して、法科学的コードを表すことを特徴とする、請求項１〜１４のいずれか一項に記載のセキュリティ顔料。
【請求項１７】
セキュリティ顔料を完全に包囲する単層または多層の追加のコーティングを有することを特徴とする、請求項１〜１６のいずれか一項に記載のセキュリティ顔料。
【請求項１８】
前記追加のコーティングが、少なくとも１つの無機誘電材料からなることを特徴とする、請求項１７に記載のセキュリティ顔料。
【請求項１９】
前記追加のコーティングが、少なくとも１つの無機誘電材料からなり、少なくともマトリックスから見て外方に向く表面上に該マトリックスの屈折率ｎ１とは異なる屈折率ｎ３を有することを特徴とする、請求項１８に記載のセキュリティ顔料。
【請求項２０】
前記コーティングが、少なくとも１つの無機誘電材料からなり、少なくともマトリックスから見て外方に向く表面上に前記粒子材料の屈折率ｎ２とは異なる屈折率ｎ３を有することを特徴とする、請求項１８または１９に記載のセキュリティ顔料。
【請求項２１】
前記コーティングが、少なくとも１つの無機誘電材料からなり、少なくともマトリックスから見て外方に向く表面上に前記粒子材料の屈折率ｎ２と実質的に等しい屈折率ｎ３を有することを特徴とする、請求項１８または１９に記載のセキュリティ顔料。
【請求項２２】
前記コーティングが、少なくとも１つの無機誘電材料からなり、少なくともマトリックスから見て外方に向く表面上にセキュリティ顔料を包囲している媒体の屈折率ｎ４とは異なる屈折率ｎ３を有することを特徴とする、請求項１８〜２１のいずれか一項に記載のセキュリティ顔料。
【請求項２３】
請求項１〜２２のいずれか一項に記載のセキュリティ顔料の、ペイント、コーティング、粉体コーティング、印刷インキ、コーティング組成物、プラスチック、接着剤、製紙原料、建築材料、ゴム組成物および爆発物を顔料着色するための使用。
【請求項２４】
前記セキュリティ顔料が、タガントとして使用されることを特徴とする、請求項２３に記載の使用。
【請求項２５】
前記セキュリティ顔料が、有色および／または効果顔料との混合物中で使用され、後者によって生じる色彩印象を著しく損ない、改変しまたは決定しないことを特徴とする、請求項２３または２４に記載の使用。
【請求項２６】
セキュリティ顔料が、ペイント、コーティング、粉体コーティング、印刷インキ、コーティング組成物、プラスチック、接着剤、製紙原料、建築材料、ゴム組成物または爆発物に、それぞれの材料の全重量を基準として、０．０００１から２０重量％の量で添加されることを特徴とする、請求項２３〜２５のいずれか一項に記載の使用。
【請求項２７】
ペイント、コーティング、粉体コーティング、印刷インキ、コーティング組成物、プラスチック、接着剤、製紙原料またはゴム組成物が、セキュリティ文書またはセキュリティ製品、例えば、銀行券、小切手、銀行およびクレジットカード、小切手保証カード、債券、身分証明書、証券、検査証、収入印紙および郵便切手、身元証明カード、鉄道乗車券および航空券、入場券、テレフォンカード、ラベル、テストスタンプおよび包装材料等の文書の製造のために使用されることを特徴とする、請求項２３〜２６のいずれか一項に記載の使用。
【請求項２８】
請求項１〜２２のいずれか一項に記載のセキュリティ顔料を検出する方法であって、該セキュリティ顔料を含む媒体またはこのタイプの媒体を含む製品を電磁放射線に曝露し、第一段階では、該セキュリティ顔料の外形および大きさを見分けることが可能で、第二段階では、マトリックス中に埋め込まれている粒子材料の形状、大きさ、数および／または色を見分けることが可能な十分に大きい倍率で観測することを特徴とする方法。
【請求項２９】
前記電磁放射線が、可視光、ＵＶ波長領域の放射線および／またはＩＲ波長領域の放射線であることを特徴とする、請求項２８に記載の方法。
【請求項３０】
前記セキュリティ顔料の外形および大きさが、直接または間接的に測定できることを特徴とする、請求項２８または２９に記載の方法。
【請求項３１】
前記セキュリティ顔料の外形および大きさが、マトリックス中に埋め込まれている粒子材料の数、分布および／または色により間接的に測定できることを特徴とする、請求項３０に記載の方法。
【請求項３２】
前記粒子材料の形状、大きさ、数および／または色が、可視光への曝露、ＵＶ波長領域および／またはＩＲ波長領域の放射線への曝露によって測定され、ここで少なくとも２つのこれらの範囲の電磁放射線の照射が、媒体または製品に対して連続的になされることを特徴とする、請求項２８〜３１のいずれか一項に記載の方法。
【請求項３３】
前記マトリックスが、互いに異なる２つ以上の粒子材料を含み、その色がいずれの場合も可視光またはＵＶ波長領域の放射線もしくはＩＲ波長領域の放射線に曝露したときにのみ見ることができることを特徴とする、請求項２８〜３２のいずれか一項に記載の方法。
【請求項３４】
可視光またはＵＶ波長領域の放射線もしくはＩＲ波長領域の放射線に曝露したときに見ることができる、異なる粒子材料の色の全体性が法科学的コードを生じさせることを特徴とする、請求項３３に記載の方法。
【請求項３５】
それぞれの電磁放射線の作用下で見ることができるマトリックス中の粒子材料の粒子の形状、大きさ、数および／または分布が、法科学的コードをさらに生じさせることを特徴とする、請求項３４に記載の方法。
【請求項３６】
セキュリティ顔料を含む媒体が、ペイント、コーティング、粉体コーティング、印刷インキ、コーティング組成物、プラスチック、接着剤、製紙原料、建築材料、ゴム組成物または爆発物である、請求項２８〜３５のいずれか一項に記載の方法。
【請求項３７】
前記媒体を含む製品がセキュリティ文書またはセキュリティ製品である、請求項２８〜３６のいずれか一項に記載の方法。